(57)【特許請求の範囲】
【請求項１】
シャッターのガイドレールに取付固定される躯体側接続部と光電スイッチを装着する光電スイッチ装着板とを塑性変形可能な連結部にて略直角状に一体的に形成し、前記躯体側接続部には棒状の工具軸を貫通することができる操作用係止部を設け、その光電スイッチ装着板には前記棒状工具軸の軸先端部を係止するための被係止部を設けて、前記棒状工具軸を前記操作用係止部に挿入して前記軸先端部を被係止部に係止した状態で、前記棒状工具軸の操作用係止部における係止箇所を力の支点とし、前記棒状工具軸が係止する被係止部を力の作用点として、上下左右に振ることで、該連結部の塑性変形により前記光電スイッチ装着板を前記躯体側接続部に対して、垂直方向かつ水平方向における光電スイッチの光軸方向の調整を自在としてなることを特徴とした光電スイッチの光軸調整構造。
【請求項２】
シャッターのガイドレールに取付固定される躯体側接続部と光電スイッチを装着する光電スイッチ装着板とを上下２ヶ所で塑性変形可能な連結部にて略直角状に一体的に形成し、前記躯体側接続部には棒状の工具軸を貫通することができる操作用係止部を設け、その光電スイッチ装着板には前記棒状工具軸の軸先端部を係止するための被係止部を設けて、前記棒状工具軸を前記操作用係止部に挿入して該軸先端部を被係止部に係止した状態で、前記棒状工具軸の操作用係止部における係止箇所を力の支点とし、前記棒状工具軸が係止する被係止部を力の作用点として、左右に振ることで、該連結部の塑性変形により前記光電スイッチ装着板を前記躯体側接続部に対して、水平方向における光電スイッチの光軸方向の調整を自在としてなることを特徴とした光電スイッチの光軸調整構造。
【請求項３】
シャッターのガイドレールに取付固定される躯体側接続部と光電スイッチを装着する光電スイッチ装着板とを塑性変形可能な連結部にて略直角状に一体的に形成し、前記光電スイッチ装着板には棒状工具軸の軸先端部を係止するための被係止部を設けて、ガイドレールには前記棒状工具軸を貫通することができる操作用係止部を形成して、前記棒状工具軸を前記操作用係止部に挿入して前記軸先端部を被係止部に係止した状態で、前記棒状工具軸の操作用係止部における係止箇所を力の支点とし、前記棒状工具軸が係止する被係止部を力の作用点として、上下左右に振ることで、前記連結部の塑性変形により前記光電スイッチ装着板を前記躯体側接続部に対して、垂直方向かつ水平方向における光電スイッチの光軸方向の調整を自在としてなることを特徴とした光電スイッチの光軸調整構造。
【請求項４】
シャッターのガイドレールに取付固定される躯体側接続部と光電スイッチを装着する光電スイッチ装着板とを上下２ヶ所で塑性変形可能な連結部にて略直角状に一体的に形成し、前記光電スイッチ装着板には棒状工具軸の軸先端部を係止するための被係止部を設けて、ガイドレールには前記棒状工具軸を貫通することができる操作用係止部を形成して、前記棒状工具軸を前記操作用係止部に挿入して前記軸先端部を被係止部に係止した状態で、前記棒状工具軸の操作用係止部における係止箇所を力の支点とし、前記棒状工具軸が係止する被係止部を力の作用点として、左右に振ることで、前記連結部の塑性変形により前記光電スイッチ装着板を前記躯体側接続部に対して、水平方向における光電スイッチの光軸方向の調整を自在としてなることを特徴とした光電スイッチの光軸調整構造。
【発明の詳細な説明】
【０００１】
【発明の属する技術分野】
本発明は、光電スイッチの光軸の方向調整を簡易且つ迅速に行うことができ、さらに、構造を極めて簡単なるものとした光電スイッチの光軸調整構造に関する。
【０００２】
【従来の技術】
従来より、建築物の入口，出口のシャッター、或いは貨物，乗用各種エレベータ等の扉箇所等に安全を確保するための光電スイッチ（ビームセンサーと称することもある）が装着されている。これらの光電スイッチは取付金具を介して建築側躯体に装着するが、装着後たいていは光軸方向を種々の方向に調整（微調整を含む）する必要が生じる。そのために、取付金具は、その光電スイッチの光軸方向の調整が可能となる構造を有している。
【０００３】
【発明が解決しようとする課題】
従来タイプの光電スイッチの取付金具では、躯体なるシャッターレールを形成したフレームに埋め込んで使用した場合に、光軸の方向調整を行うために、光電スイッチ本体の取外し、取付を繰り返して行っていた。また、取付ビスにゴム等のスペーサーを装着して、ビスの締付具合により光軸の方向調整を行っていた。
【０００４】
このために光軸の方向調整作業は、困難且つ面倒であり、作業員にとってはかなりの時間と労力が費やされている。且つ、光軸の方向調整機能を具備した取付金具は複数の部材からなり、構造が複雑となる等、現場での据付も困難となる等種々の問題点が存在している。
【０００５】
【課題を解決するための手段】
そこで、発明者は上記課題を解決すべく、鋭意，研究を重ねた結果、本発明を、シャッターのガイドレールに取付固定される躯体側接続部と光電スイッチを装着する光電スイッチ装着板とを塑性変形可能な連結部にて略直角状に一体的に形成し、前記躯体側接続部には棒状の工具軸を貫通することができる操作用係止部を設け、その光電スイッチ装着板には前記棒状工具軸の軸先端部を係止するための被係止部を設けて、前記棒状工具軸を前記操作用係止部に挿入して前記軸先端部を被係止部に係止した状態で、前記棒状工具軸の操作用係止部における係止箇所を力の支点とし、前記棒状工具軸が係止する被係止部を力の作用点として、上下左右に振ることで、該連結部の塑性変形により前記光電スイッチ装着板を前記躯体側接続部に対して、垂直方向かつ水平方向における光電スイッチの光軸方向の調整を自在としてなる光電スイッチの光軸調整構造としたことにより、光電スイッチの光軸の方向調整を簡易且つ迅速に行うことができ、さらに、構造を極めて簡単なるものとし、上記課題を解決するものである。
【０００６】
【発明の実施の形態】
以下、本発明の実施形態を説明する。本発明は、図１（Ａ），（Ｂ）及び図３（Ａ），（Ｃ）等に示すように、躯体側接続部１と光電スイッチ装着板２とが塑性変形容易なる連結部３にて一体的に形成されているものである。まず、躯体側接続部１は、本発明における取付金具をシャッターのガイドレールを形成したフレーム等の躯体８側の所定箇所に取付固定する部分であり、その躯体側接続部１には上下方向の略中央部分にに光軸ｂの通過用の開口部１ａが形成されている。
【０００７】
そして、該開口部１ａの上方には上部接続板１ｂが，また下方には下部接続板１ｃがそれぞれ形成されている。また、上部接続板１ｂと下部接続板１ｃには躯体８側へ固着するための固着用貫通孔１ｄ，１ｄが形成されている。また、上部接続板１ｂ，下部接続板１ｃにはそれぞれ被嵌合片１ｅ，１ｅ，…が形成され、該被嵌合片１ｅ，１ｅ，…を介して躯体側接続部１を被覆する化粧プレート１３を着脱自在に装着することができるようになっている〔図１（Ａ）及び（Ｂ）参照〕。
【０００８】
次に、光電スイッチ装着板２は、図１（Ａ），（Ｂ）及び図３（Ｃ）等に示すように、光電スイッチ６を装着する部分である。その光電スイッチ装着板２は、光電スイッチ６の側面形状と略同一形状であり、光電スイッチ６の装着を行うためのビス用の貫通孔２ａ，２ａが形成されている。その光電スイッチ装着板２と前記躯体側接続部１とが連結部３にて一体的に形成されている。
【０００９】
その連結部３は、外部より荷重を加えたときに特に、容易に塑性変形が行われるものであり、このようなものとしては、図１（Ａ），図３（Ａ）等に示すように、比較的幅の狭い帯形状をなしている。そして、上記のような帯形状の連結部３が躯体側接続部１と光電スイッチ装着板２の上方と下方の二箇所に形成され、その上下の連結部３，３を外力により塑性変形させることにより光電スイッチ装着板２が躯体側接続部１に対して、略直角状の状態より内方或いは外方に適宜に角度を変化させ光電スイッチ６の光軸ｂの方向調整（微調整も含む）を行うことができる〔図３（Ｃ）参照〕。
【００１０】
また、その連結部３は、図６に示すように、一箇所のみ形成されるタイプも存在する。このタイプのものでは、光電スイッチ装着板２は連結部３を介して水平方向において左右両方向に適宜角度調整できるとともに、図７（Ａ），（Ｂ）に示すように、水平方向の光軸ｂを上下方向への角度調整もできるものである。図７（Ａ）では、水平方向から光軸ｂを上方に角度調整したものであり、図７（Ｂ）では、水平方向から光軸ｂを下方に角度調整したものである。
【００１１】
次に、前記躯体側接続部１側には、操作用係止部４が形成され、具体的には、躯体側接続部１の上部接続板１ｂに形成されている。その操作用係止部４は、円形状の貫通孔であり、棒状の工具Ｄの軸を挿通することができ、且つその操作用係止部４を中心にして工具軸を上下左右に振ることができる程度の大きさである〔図４及び図５（Ａ），（Ｂ）参照〕。さらに、操作用係止部４の別のタイプとしては、図３（Ｂ）に示すように、切欠き形状としたものであり、前述した円形状の操作用係止部４とは異なり、開口部１ａ側に向かって開放箇所が存在しているものである。
【００１２】
次に、光電スイッチ装着板２側には、被係止部５が形成されている。該被係止部５は、前記操作用係止部４より挿通した工具Ｄの工具軸１１の軸先端部１１ａを係止するための部分である。その被係止部５の構造は、支持片５ａと係止片５ｂとから構成され、光電スイッチ装着板２の上端箇所より水平状の支持片５ａが屈曲形成され、該支持片５ａに二本の直立する爪形状なる係止片５ｂとして形成されたものである〔図３（Ａ）参照〕。
【００１３】
工具Ｄの工具軸１１の軸先端１１ａは、二本の直立する爪の間に挿入することで、その係止片５ｂにひっかかるようになっている（図４参照）。また、その被係止部５の、別のタイプとしては、図６に示すように、支持片５ａ上に貫通孔形状の係止片５ｂが形成されたものが存在する。
【００１４】
その被係止部５は、光電スイッチ装着板２の上方に形成されたもの以外のタイプとして、被係止部５が光電スイッチ装着板２の後方端部の適宜の箇所に形成されることもある〔図８（Ａ），（Ｂ）参照〕。また、被係止部５が光電スイッチ装着板２の下端に形成されるタイプも存在する〔図９（Ａ），（Ｂ）参照〕。
【００１５】
次に、本発明の第２の実施の形態としては、光電スイッチ装着板２には作用点ｆ2 となる被係止部５を設け、躯体８側には支点ｆ1 となる操作用係止部４を形成したものである。この実施形態では、図８（Ａ），（Ｂ）及び図９（Ｂ），図１０等に示すように、躯体８側の操作用係止部４と当接金具の被係止部５とが軸方向に一致するように設定されている。
【００１６】
次に、本発明の取付金具の装着について説明する。その取付金具の光電スイッチ装着板２には、光電スイッチ６が装着され、且つ躯体側接続部１がシャッターレール等を形成したフレーム等の躯体８に装着される。該躯体８には、取付金具を装着するための切除孔８ａが形成されている〔図１（Ａ），（Ｂ）参照〕。
【００１７】
該切除孔８ａは、略長方形状に形成されており、躯体側接続部１が躯体８の切除孔８ａの外部側に取付ることができ、その躯体側接続部１の上下方向端部がビス等の固着具にて固着される。その躯体側接続部１の被嵌合片１ｅ，１ｅ，…に化粧プレート１３が嵌合固着される。図２（Ａ）は、躯体８に取付金具及び化粧プレート１３を装着した略示図であり、図２（Ｂ）はその要部の略示断面図である。
【００１８】
また、図１０（Ａ），（Ｂ）は、躯体８側に操作用係止部４を形成した実施形態を示している。躯体８側に操作用係止部４を形成した実施形態では、該操作用係止部４は、化粧プレート１３から露出させるタイプ〔図１０（Ａ），（Ｂ）における化粧プレート１３の実線部分参照〕と、化粧プレート１３にて操作用係止部４を被覆するタイプ〔図１０（Ａ），（Ｂ）における化粧プレート１３の想像線部分参照〕とが存在する。
【００１９】
また、化粧プレート１３にて操作用係止部４を被覆したタイプにおいては、化粧プレート１３を躯体側接続部１から外し、操作用係止部４を外部に露出させ、該操作用係止部４に工具Ｄを差し込み、工具Ｄの工具軸１１先端を被係止部５に係止して光軸ｂの方向調整を行う。
【００２０】
【作用】
まず、作業員は、工具Ｄの工具軸１１を操作用係止部４に係止し、さらに工具軸１１の軸先端１１ａを被係止部５に係止する（図４参照）。そして、工具Ｄの握手部１２が力点ｆ3 となり、工具軸１１の操作用係止部４における係止箇所を力の支点ｆ1 とし、工具軸１１の軸先端１１ａが係止する被係止部５は、力の作用点ｆ2 となる構成とする。
【００２１】
作業員は、工具Ｄの握手部１２を水平方向において左右に振るように握手部１２に荷重を加えることで、工具軸１１は操作用係止部４箇所を中心にして工具軸先端が被係止部５を水平方向の左右に移動させ、被係止部５とともに光電スイッチ装着板２が躯体側接続部１に対して直角状態から内方又は外方に適宜に角度を変化させる〔図３（Ｃ）参照〕。
【００２２】
図５（Ａ）は、工具Ｄによって光軸ｂを水平方向において右側に傾斜させるための調整しているものであり、図５（Ｂ）は光軸ｂを水平方向において左側に傾斜させるための調整しているものである（共に光電スイッチ６の光軸ｂの発射部分を中心として見たもの）。
【００２３】
そして、その光電スイッチ装着板２の角度変化にともない、連結部３には塑性変形が生じ、該連結部３の塑性変形後の変形具合により光電スイッチ装着板２が所望の角度に設定される。このようにして光電スイッチ装着板２に固定した光電スイッチ６の光軸ｂの軸方向を所望の方向に調整（微調整を含む）することができる〔図３（Ｃ）参照〕。
【００２４】
その操作用係止部４が躯体８に形成された構造であっても、作業員の操作は同様であり、躯体８に形成された操作用係止部４より工具軸１１が挿通され、操作用係止部４に係止され、さらにその工具軸１１の先端が被係止部５に係止されることとなる。
【００２５】
また、取付金具において、躯体側接続部１と光電スイッチ装着板２とが一つの連結部３にて一体形成した実施形態においては、光電スイッチ装着板２は躯体側接続部１に対して水平方向に加えて上下方向における角度の調整が可能とすることができる〔図７（Ａ）及び（Ｂ）参照〕。その光電スイッチ装着板２の躯体側接続部１に対する上下方向の角度の調整は工具Ｄの工具軸１１を操作用係止部４箇所を支点ｆ1 として上下方向に振ることにより行うことができる。
【００２６】
【発明の効果】
請求項１の発明においては、シャッターのガイドレールに取付固定される躯体側接続部１と光電スイッチ6を装着する光電スイッチ装着板２とを塑性変形可能な連結部３にて略直角状に一体的に形成し、前記躯体側接続部１には棒状の工具軸１１を貫通することができる操作用係止部４を設け、その光電スイッチ装着板２には前記棒状工具軸１１の軸先端部１１ａを係止するための被係止部５を設けて、前記棒状工具軸１１を前記操作用係止部４に挿入して前記軸先端部１１ａを被係止部５に係止した状態で、前記棒状工具軸１１の操作用係止部４における係止箇所を力の支点ｆ１とし、前記棒状工具軸１１が係止する被係止部５を力の作用点ｆ２として、上下左右に振ることで、該連結部３の塑性変形により前記光電スイッチ装着板２を前記躯体側接続部１に対して、垂直方向かつ水平方向における光電スイッチ６の光軸ｂ方向の調整を自在としてなる光電スイッチの光軸調整構造としたことにより、まず第１に光電スイッチ６の光軸の方向調整作業を簡易且つ迅速に行うことができるし、第２に調整後における光軸ｂ方向の狂いを生じにくくすることができるし、第３に本発明における取付金具の構造を簡単にすることができるし、第４に建築躯体への装着を極めて容易にすることができる等種々の効果を奏する。
【００２７】
上記効果を詳述すると、取付金具は、躯体側接続部１と光電スイッチ装着板２とが塑性変形が容易にできる連結部３にて一体的に形成しており、躯体側接続部１には操作用係止部４を設け、光電スイッチ装着板２側には被係止部５を設ける構造としている。
【００２８】
このような構造としているので、工具軸１１を操作用係止部４に挿入し、軸先端１１ａを被係止部５に係止した状態で、工具軸１１の操作用係止部４箇所を力の支点ｆ1 とし、被係止部５を力の作用点ｆ2 とし、工具Ｄの握手部１２を力点ｆ3 とすることができる。
【００２９】
そこで、作業員は、工具Ｄの工具軸１１と操作用係止部４との係止箇所を中心として力点ｆ3 なる握手部１２を振ることにより、その操作用係止部４を力の支点ｆ1 とし、該支点ｆ1 を中心として工具軸１１の軸先端１１ａが移動し、被係止部５を介して連結部３に塑性変形を生じさせながら、光電スイッチ装着板２を所望の方向に移動させることができる。
【００３０】
そして、その光電スイッチ装着板２に装着した光電スイッチ６の光軸ｂの方向調整をすることができる。このように光軸ｂの方向調整は、工具Ｄ等の軸状部材を使用するのみで良く、且つその工具Ｄを操作用係止部４との係止箇所を中心として振るのみで簡単且つ迅速に行うことができる。
【００３１】
また、光電スイッチ６の光軸ｂの方向調整は、上述したように、塑性変形容易なる連結部３を介して光電スイッチ装着板２の角度変化により行うものであり、一旦調整が完了した後は、塑性変形した連結部３はさらに外力を加えない限り、その取付金具に衝撃，振動等が起きたとしても変形するものではなく、光電スイッチ６の光軸ｂの方向の狂いも極めて生じにくいものとすることができる。
【００３２】
次に、本発明における取付金具は躯体側接続部１，光電スイッチ装着板２が連結部３にて一体的に形成されたものであり、極めて僅かの部位から形成されているとともに、これらが一体的に形成される構造としているためにプレス加工により大量生産に向いていることで低価格にて提供することができる利点もある。また、一体的構造によることから、取付金具は単体の部品であり、このような取付金具を現場の躯体８に装着する作業も極めて簡単に行うことができる。
【００３３】
次に、請求項２の発明は、シャッターのガイドレールに取付固定される躯体側接続部1と光電スイッチ6を装着する光電スイッチ装着板２とを上下２ヶ所で塑性変形可能な連結部３にて略直角状に一体的に形成し、前記躯体側接続部１には棒状の工具軸１１を貫通することができる操作用係止部４を設け、その光電スイッチ装着板２には前記棒状工具軸１１の軸先端部１１ａを係止するための被係止部５を設けて、前記棒状工具軸１１を前記操作用係止部４に挿入して該工具軸先端部１１ａを被係止部５に係止した状態で、前記棒状工具軸１１の操作用係止部４における係止箇所を力の支点ｆ１とし、前記棒状工具軸１１が係止する被係止部５を力の作用点ｆ２として、左右に振ることで、該連結部３の塑性変形により前記光電スイッチ装着板２を前記躯体側接続部１に対して、水平方向における光電スイッチ６の光軸ｂ方向の調整を自在としてなる光電スイッチの光軸調整構造としたことにより、先ず第１に本発明の取付金具を装着する躯体８側への加工を最小限とすることができるし、第２に取付金具装着後の躯体８の外観を良好なるものとすることができる。
【００３４】
上記効果を詳述すると、躯体側接続部１には支点ｆ1 となる操作用係止部４を設けており、その光電スイッチ装着板２側には水平方向に可動する作用点ｆ2 となる被係止部５を設けたもので、即ち取付金具には操作用係止部４と被係止部５とが一体的に形成されたものであるために、躯体８側への加工は取付金具を装着するための切除孔８ａのみを形成すればよく、それゆえに、躯体８側への加工は最小限にすることができる。また躯体８側には操作用係止部４が形成されないことで、外観を良好にすることができる。
【００３５】
次に、請求項３の発明は、シャッターのガイドレールに取付固定される躯体側接続部１と光電スイッチ６を装着する光電スイッチ装着板２とを塑性変形可能な連結部３にて略直角状に一体的に形成し、前記光電スイッチ装着板２には棒状工具軸１１の軸先端部１１ａを係止するための被係止部５を設けて、ガイドレールには前記棒状工具軸１１を貫通することができる操作用係止部４を形成して、前記棒状工具軸１１を前記操作用係止部４に挿入して前記軸先端部１１ａを被係止部５に係止した状態で、前記棒状工具軸１１の操作用係止部４における係止箇所を力の支点ｆ１とし、前記棒状工具軸１１が係止する被係止部５を力の作用点ｆ２として、上下左右に振ることで、前記連結部３の塑性変形により前記光電スイッチ装着板２を前記躯体側接続部1に対して、垂直方向かつ水平方向における光電スイッチ６の光軸ｂ方向の調整を自在としてなる光電スイッチの光軸調整構造としたことにより、躯体８に操作用係止部４を形成することで、化粧プレート１３にて操作用係止部４箇所を被覆しないタイプでは化粧プレート１３をいちいち外すこと無く操作用係止部４から工具Ｄを差し込んで光軸ｂの方向調整ができる。また、請求項４の発明は、シャッターのガイドレールに取付固定される躯体側接続部1と光電スイッチ６を装着する光電スイッチ装着板２とを上下２ヶ所で塑性変形可能な連結部３にて略直角状に一体的に形成し、前記光電スイッチ装着板２には棒状工具軸１１の軸先端部１１ａを係止するための被係止部５を設けて、ガイドレールには前記棒状工具軸１１を貫通することができる操作用係止部４を形成して、前記棒状工具軸１１を前記操作用係止部４に挿入して前記軸先端部１１ａを被係止部５に係止した状態で、前記棒状工具軸１１の操作用係止部４における係止箇所を力の支点ｆ１とし、前記棒状工具軸１１が係止する被係止部５を力の作用点ｆ２として、左右に振ることで、前記連結部３の塑性変形により前記光電スイッチ装着板２を前記躯体側接続部1に対して、水平方向における光電スイッチ６の光軸ｂ方向の調整を自在としてなる光電スイッチの光軸調整構造としたものであり、前述の請求項３の発明と略同等の効果を奏する。
【図面の簡単な説明】
【図１】（Ａ）は本発明の取付金具に光電スイッチを装着し、且つ取付金具を躯体に装着した状態を示す一部断面にした斜視図
（Ｂ）は本発明の取付金具に光電スイッチを装着し、且つ取付金具を躯体に装着した状態を示す一部断面にした側面図
【図２】（Ａ）は本発明の取付金具を装着した躯体の一部断面にした略示図
（Ｂ）は（Ａ）のＸ1 −Ｘ1 矢視の略示断面図
【図３】（Ａ）は本発明の取付金具の斜視図
（Ｂ）は操作用係止部を切欠き形状としたタイプの要部斜視図
（Ｃ）は本発明の取付金具を躯体に装着した状態の略示断面図
【図４】本発明の取付金具においてドライバーにて水平方向の光軸調整を行う状態を示す一部断面にした斜視図
【図５】（Ａ）及び（Ｂ）はドライバーにて水平方向の光軸を左右に適宜の角度に調整をしている状態の作用図
【図６】連結部を一つにしたタイプの取付金具の斜視図
【図７】（Ａ）及び（Ｂ）はドライバーにて水平方向の光軸の上下に適宜の角度に調整をしている状態の作用図
【図８】（Ａ）は本発明の取付金具に光電スイッチを装着し、且つ躯体側に操作用係止部を設けた実施形態の一部断面にした斜視図
（Ｂ）は本発明の取付金具に光電スイッチを装着し、且つ躯体側に操作用係止部を設け、工具にて上下方向に光軸の角度調整をしている状態の側面図
【図９】（Ａ）は被係止部を光電スイッチ装着板の下端に設けたタイプの斜視図
（Ｂ）は被係止部を光電スイッチ装着板の下端に設けたものを躯体に装着した状態の一部断面にした側面図
【図１０】（Ａ）は本発明の取付金具を装着した躯体に操作用係止部を形成した実施形態を示す一部断面にした略示図
（Ｂ）は（Ａ）のＸ2 −Ｘ2 矢視の略示断面図
【符号の説明】
１…躯体側接続部
２…光電スイッチ装着板
３…連結部
４…操作用係止部
５…被係止部
８…躯体
【図１】
0003837770.tif 000002
【図２】
0003837770.tif 000003
【図３】
0003837770.tif 000004
【図４】
0003837770.tif 000005
【図５】
0003837770.tif 000006
【図６】
0003837770.tif 000007
【図７】
0003837770.tif 000008
【図８】
0003837770.tif 000009
【図９】
0003837770.tif 000010
【図１０】
0003837770.tif 000011